(57)【要約】      （修正有）【課題】玄関に置かれた履物の向を変える道具を提供する。【解決手段】形状は杖の様に長い本体軸にパイプを使い外側には４の操作パイプを設け、この操作パイプの上端に指掛爪のついた２の部品を３２カシメ軸で固定する、次に本体軸パイプ上部からラセンスプリングを内設する、さらに上端には１の握手を取り付、４の操作パイプの下端にアーム付の５のはかまを差し込み３１のリベットピンで固定する。最後に８のヘラを３６の軸棒でヘラが回動できる状態に固定する、次にアームの３０の軸孔とヘラの３３の軸孔とを合せ３７軸棒で固定する。この道具は、本体軸を引きあげれば履物は斜状になり落すことなく向きを変え目的の場所へと簡単に移動が出来る、履物の向を変える道具である。【撰択図】図１【特許請求の範囲】
【請求項１】
（３）本体軸柄Ｇ上部Ｆ面側に（１３）の長穴を設ける。穴の大きさは約４ミリ巾で長さ３センチぐらい、この穴はＥ面側迄貫通しておく。ここは（３２）のカシメ軸を通して、（４３）のスプリングをうけるためと、操作パイプを上下に動かす事を兼用するためのもの。（３）本体軸柄パイプの下部Ａ面側のみに（１４）の長穴を開けておく。この所は（３１）のリベットの頭が当らない様にしたバカ穴である。（４）操作パイプＧ上部Ｆ面側に（４７）の指掛爪付の（２）の部品を設けるための軸受孔（２０）をＦ面からＥ面まで貫通しておく。（４）操作パイプのＨ下部のＡ面側に（４４）の腕付ハカマの付いた（５）を設けるための（２１）のリベット捜入孔を設ける。寸法および角度については調整が必用。
本発明を組立るには、まず（４）の操作パイプの中に（３）の本体軸柄パイプを差し込み（４）の操作パイプＧ側から（２）の指掛爪付部品を差し込（３２）のカシメ軸を（２０）の軸孔へと通しカシメ固定する。
次に操作パイプのＨ下部から（４４）の腕付ハカマ（５）を差し込み（２１）の捜入孔に（３１）リベット釘を捜入しカシメる。（８）ヘラの取り付は本体軸柄のＨ下部より差し込みヘラの（３４）の軸受孔より（３６）の軸棒を通し、本体軸柄の（１５）の軸孔へと通しヘラが回動できる様に固定する。（３３）の軸受孔と（４４）の腕にある（３０）軸受孔に（３７）の軸棒を通し固定する。次に（４３）のラセンスプリングを（３）本体軸柄のＧ上部からパイプの中へと入れ、最後に（１）の握手の（９）ネジ山付の穴の中に接着剤を塗り付けて（３）本体軸柄の（２９）のネジ部分をネジ込んで完成する。履物成整理用具
【発明の詳細な説明】
【技術分野】
【０００１】  本発明は、家庭の玄関及び事業所の玄関で使用するもの。
【背景技術】
【０００２】  今迄履物を整理するための道具はなかった。
【発明の開示】
【発明が解決しょうとする課題】
【０００３】  従来玄関内の床には外から入ってきた人が履物を室内方向に向けたまま置いてあるのが普通で、さらに人の出入が多い所では、バラバラになっていて、これを整理するのにはしゃがみこみ、はいつくばる様に行う事になり容易なことではない。
【０００４】  これらを容易に出来れば、いつも玄関内は整理整頓ができていて、来客の人から見て良い好感を得ることが出来る。
【０００５】  草履や下駄、サンダルにも対応出きる様にヘラの先を（３５）二股にしてさらにここの部分を上向きに曲げておく。
【０００６】  誰でも簡単に履物の向を変られる様にする。
【０００７】  用具の収納場所は既存の傘立に一緒に立て掛られる様にする。
【課題が解決する手段】
【０００８】  素材についてはプラスチックでも金属製でも可能である。
【０００９】  杖の様な長い柄の先端に履物を吊り上げるための（８）ヘラを設けて、このヘラを自由自在に垂直にしたり横向に出来る様する、これによつて履物の整理整頓が容易に出来る。
【００１０】  履物を確実に吊り上げるために、側面から見てちょうど釣針の様になっている、これを履物の中に差し込むと、奥の爪先に近い天井に当るので、これで上に引きあげれば履物は斜状になり、目的の場所まで移動が出来る。
【００１１】  使い方は、まず用具の先端部の（８）ヘラ部分を履物の中に差し込み（４７）指掛爪を引き上げると、（８）ヘラは横向きになるのでこのまま上に引き上げれば履物は斜状になり落すことなく目的の場所まで移動が出来る。
【００１２】  玄間がいつも整理されていて気持が良い。
【００１３】  手で整理をした状態を見ると向きは直っていても全体としてバラバラである、これは目と履物とが近いので全体のバランスが良く見えてないからである。本発明の道具を使うと、柄が長いので高い位置から見下すので、全体が良く見え少しの曲もわかり整頓がしやすい。
【発明を実施するための最良の形態】
【００１４】  以下本発明の実施形態を図面に基づき試作した時の寸法を入れ乍ら詳細に設明すると、【００１５】  図１は本発明の履物整理用具の側面透視図と図２は本発明の使い勝手の順序を図解した側面ずである、（イ）（ロ）（ハ）（ニ）の順で行う。【００１６】  （イ）は用具を履物の中に差しこむ、（ロ）指掛爪を指で引きあげる、（８）ヘラが履物のなかで横になり、履物の奥爪先に近い天井に当るのでこのまま上に持上げれば履物は斜状になり、移動が出来る。（ハ）はここで履物を下に置く、（ニ）最後に指掛爪からゆびを離せばヘラは簡単に抜きだせる。
【実施例】
【００１７】本発明を製作するには、別紙図面を参照し乍ら行うと良い。【００１８】  図６の本体（３）軸柄はＧ上部Ｆ面に（１３）の長穴を設ける、この穴はＥ面まで貫通しておく。ここは（４３）のカシメ軸を通して、（４３）のスプリングを受けるためと、スプリングを上下に動かすことを兼用するためである。巾約４ミリ、長さは約３センチぐらい、さらに本体軸柄（３）の下部Ａ面側のみ１部長穴を開けておく、ここは４ミリ巾、長さ４センチ開ける、ここは（３１）のリベット釘の頭が当らない様にしたバカ穴である。【００１９】  （４）操作パイプＧ上部のＦ面側に（２）の指掛爪の付いた部品を設けるための軸受孔（２０）を裏側Ｅ面まで貫通しておく。【００２０】  （４）操作パイプの下部ＨのＡ面側に（４４）の腕を固定するための（２１）のリベット釘挿入孔を設ける。【００２１】  本発明を組立るには、まず、（４）の操作パイプの中に（３）の軸柄を通し（４）の操作パイプのＧ面側に（２）の指掛爪付部品をかぶせて（３２）のカシメ軸を（４）の操作パイプの（２０）の軸受孔へ通し固定する。次に（４）の操作パイプの下部Ｈ側から（４４）の腕付の（５）はかまを下からかぶせる様に入れ込み（２１）の挿入孔より（３１）のリベット釘を挿入し固定する。【００２２】  （８）ヘラの取り付は（３）本体軸柄のＨ側から差し込み（３４）の軸受孔より（３６）の軸棒を通し（３）の本体軸柄を貫通し（８）のヘラが回動できるように固定する。さらに（３３）と（４４）の腕にある（３０）の軸受孔に（３７）の軸棒を差し込み回動できる様に固定する。（４３）のラセンスプリングを（３）本体軸柄パイプのＧ面側の中に挿入する。    最後に（１）握手の（９）ネジ山付の穴の中に接着剤を塗り付て、（３）の本体軸柄の（２９）の部分をネジ込み完成する。履物整理用具
【産業上の利用可能性】
【００２３】  一般家庭の玄関及び事業所で活用できる。
【図面の簡単な説明】
【００２４】
【図１】は本発明の履物整理用具全体図でＦ面から見た透視図である。
【図２】は本発明の履もの整理用具の使い勝手を示した側面図
【図３】は（１）握手でＧ面から見た平面図
【図４】は（１）の握手でＨ面から見た平面図
【図５】は（１）の握手でＦ面から見た側面図
【図６】は（３）本体軸柄パイプでＦ面から見た側面図
【図７】は（４）操作パイプでＦ面から見た側面図
【図８】は（４）の操作パイプの上部に設ける指掛爪付部品でぼうしの様なもの、斜視図
【図９】は（３１）リベット釘と（４３）ラセンスプリングの側面図
【図１０】は（４４）腕を支さえる台座ではかまの様なもの斜視図
【図１１】はカシメ釘で側面図
【図１２】は軸棒で側面図
【図１３】は履物を吊り上げるためのヘラで斜視図
【図１４】は本体軸柄と（４）の操作パイプの下部Ｈ面側を見た側面図
【符号の説明】
【００２５】１  握手
２  指掛爪付の部品
３  本体軸柄（パイプ）
４  操作用パイプ
５  腕を支じする台座（はかま）
６  リベット釘を挿入するための孔
７  全長約４センチ
８  履物を吊り上げるためのヘラである
９  はネジ山付の穴
１０  は巾寸で約２５ミリ
１１  は長さで約１０センチ
１２  は厚さで約２０ミリ
１３  は長穴でここはＦ面、Ｅ面側に設けた長穴である、大きさは巾約４ミリ長さ３センチぐらい
１４  はＡ面のみに設けた長穴で約巾４ミリ長さ４センチ、ここは（３１）のリベット釘の頭が当らない様にするためのバカ穴である
１５  は軸受孔
１６  は直径１６ミリ％
１７  は内寸１３ミリ
１８  は長さ７７５ミリ
１９  長さ７１０ミリ
２０  は軸受孔で約４ミリ％
２１  はリベット挿入孔で約３，５ミリ％
２２  は直径２０ミリ％
２３  は内寸１６，５ミリ
２４  は内寸１６，５ミリ
２５  は軸受孔
２６  は内寸２０ミリ
２７  は直径１３ミリ
２８  は軸柄とヘラの角度で約１０度
２９  はねじ山
３０  は軸受孔
３１  はリベット釘
３２  はカシメ軸
３３  は軸受孔
３４  は軸受孔
３５  ここは上向に曲げてこの先端に二股を設けて、草履、下駄などに対応する。
３６  は軸棒４ミリ％
３７  軸棒３ミリ％
３８  は６センチ
３９  ２０ミリ
４０  曲り角度３５度
４１  先端の巾３０ミリ
４２  は７０ミリ
４３  ラセンスプリング
４４  は腕（弾性ある素材が好ましい。）
４５  は角度で約１０度
４６  は指掛爪
４７  は３センチ
４８  は９センチ
Ａ，Ｂ，Ｃ，Ｄ，Ｅ，Ｆ，Ｇ，Ｈは図面の展開方向を示す符号
（イ）（ロ）（ハ）（ニ）は使い勝手の順序を示す符号
【図１】
2007105445.tif 000002
【図２】
2007105445.tif 000003
【図３】
2007105445.tif 000004
【図４】
2007105445.tif 000005
【図５】
2007105445.tif 000006
【図６】
2007105445.tif 000007
【図７】
2007105445.tif 000008
【図８】
2007105445.tif 000009
【図９】
2007105445.tif 000010
【図１０】
2007105445.tif 000011
【図１１】
2007105445.tif 000012
【図１２】
2007105445.tif 000013
【図１３】
2007105445.tif 000014
【図１４】
2007105445.tif 000015
【手続補正書】
【提出日】平成17年11月24日(2005.11.24)
【手続補正１】
【補正対象書類名】明細書
【補正対象項目名】００２５
【補正方法】変更
【補正の内容】
【００２５】  １  握手
２  指掛爪付の部品
３  本体軸柄（パイプ）
４  操作用パイプ
５  腕を支じする台座（はかま）
６  リベット釘を挿入するための孔
７  全長約４センチ
８  履物を吊り上げるためのヘラである
９  はネジ山付の穴
１０  は巾寸で約２５ミリ
１１  は長さで約１０センチ
１２  は厚さで約２０ミリ
１３  は長穴でここはＦ面、Ｅ面側に設けた長穴である、大きさは巾約４ミリ長さ３センチぐらい
１４  はＡ面のみに設けた長穴で約巾４ミリ長さ４センチ、ここは（３１）のリベット釘の頭が当らない様にするためのバカ穴である
１５  は軸受孔
１６  は直径１６ミリ 
１７  は内寸１３ミリ 
１８  は長さ７７５ミリ
１９  長さ７１０ミリ
２０  は軸受孔で約４ミリ 
２１  はリベット挿入孔で約３，５ミリ 
２２  は直径２０ミリ 
２３  は内寸１６，５ミリ
２４  は内寸１６，５ミリ
２５  は軸受孔
２６  は内寸２０ミリ
２７  は直径１３ミリ
２８  は軸柄とヘラの角度で約１０度
２９  はねじ山
３０  は軸受孔
３１  はリベット釘
３２  はカシメ軸
３３  は軸受孔
３４  は軸受孔
３５  ここは上向に曲げてこの先端に二股を設けて、草履、下駄などに対応する。
３６  は軸棒４ミリ％
３７  軸棒３ミリ％
３８  は６センチ
３９  ２０ミリ
４０  曲り角度３５度
４１  先端の巾３０ミリ
４２  は７０ミリ
４３  ラセンスプリング
４４  は腕（弾性ある素材が好ましい。）
４５  は角度で約１０度
４６  は指掛爪
４７  は３センチ
４８  は９センチ
Ａ，Ｂ，Ｃ，Ｄ，Ｅ，Ｆ，Ｇ，Ｈは図面の展開方向を示す符号
（イ）（ロ）（ハ）（ニ）は使い勝手の順序を示す符号
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
３本体軸パイプの外側に４操作パイプを設ける、４操作パイプの上端には、４６指掛爪付の２部品を被せ３２のカシメ軸で固定し本体軸パイプの中に４３ラセンスプリング内設し３本体軸パイプの上端に１握手を設ける、４操作パイプ下端には４４アームを設けた５のはかま状の部品を差し込み３１のリベット釘で固定する最後に８ヘラを３本体軸パイプの下端に３６の軸棒で上下に回動できる様に吊設する、８ヘラの３３軸受孔４４アームの３０軸受孔を合せ３７の軸棒で軸止する（８ヘラが上下に動く様にしておく）
以上の如く構成された本発明の道具は、常に４３のラセンスプリングの力で４６指掛爪を含む４操作パイプは下方に押し付られた状態にあるので１握手を掴み指掛爪を引き上げると８ヘラは連動して横向になる、放せば８ヘラは垂直にもどる仕組の履物の向を変える道具。
【手続補正２】
【補正対象書類名】明細書
【補正対象項目名】全文
【補正方法】変更
【補正の内容】
【発明の詳細な説明】
【技術分野】
【０００１】  本発明は、家庭の玄関及び事業所の玄関で使用するもの。
【背景技術】
【０００２】  今迄履物の向きを変える道具はなかった。
【発明の開示】
【発明が解決しようとする課題】
【０００３】  従来玄関内の床には外から入ってきた人が履物を室内方向に向けたまま置いてあるのが普通で、さらに人の出入が多い所では、バラバラになっていて、これを整理するのにはしゃがみこみ、はいつくばる様に行う事になり容易なことではない。【０００４】  これらを容易に出来れば、いつも玄関内は整理整頓ができていて、来客の人から見て良い好感を得ることが出来る。【０００５】  草履や下駄、サンダルにも対応出きる様にヘラの先を（３５）二股にしてさらにここの部分を上向きに曲げて確実に吊り上げる様にする。【０００６】  誰でも簡単に履物の向を変られる様にする。【０００７】  道具の収納場所は既存の傘立に一緒に立て掛られる様にする。
【課題が解決する手段】
【０００８】  寸法、角度、形、大きさ、については、テストをして最良点を求める事。
【０００９】  杖の様な長い柄の先端に履物を吊り上げるための（８）ヘラを設けて、このヘラを自由自在に垂直にしたり横向に出来る様する、これによつて履物の整理整頓が容易に出来る。
【００１０】  履物を確実に吊り上げるために、側面から見てちょうど釣針の様になっている、これを履物の中に差し込むと、奥の爪先に近い天井に当るので、これで上に引きあげれば履物は斜状になり、目的の場所まで移動が出来る。
【００１１】  使い方は、まず道具の先端部の（８）ヘラ部分を履物の中に差し込み（４６）指掛爪を引き上げると、（８）ヘラは横向きになるのでこのまま上に引き上げれば履物は斜状になり落すことなく目的の場所まで移動が出来る。
【００１２】  玄間がいつも整理されていて気持が良い。
【００１３】  手で整理をした状態を見ると、向は直っていても全体としてバラバラである、これは目と履物との間が近いので全体のバランスが良く見えないからである。本発明の道具を使うと、柄が長いので高い位置から見下すので、全体が良く見え履物の曲りがわかり整頓がしやすい。
【発明を実施するための最良の形態】
【００１４】  以下本発明の実施形態を図面に基づき試作した時の寸法を参考に入れながら具体的に説明すると、【００１５】  図１は本発明の履物の向きを変える道具を側面からみた透視図である、
図２は使い勝手の順序を図解した側面図である。（イ）（ロ）（ハ）（ニ）の順で行う。【００１６】  （イ）は道具を履物の中に差しこむ、（ロ）指掛爪を指で引きあげる、（８）ヘラが履物のなかで横になり、履物の奧爪先に近い天井に当るのでこのまま上に持上げれば履物は斜状になり、移動が出来る。（ハ）はここで履物を下に置く、（ニ）最後に指掛爪からゆびを離せばヘラは簡単に履物から抜きだせる。
【実施例】
【００１７】本発明を製作するには、別紙図面を参照し乍ら行うと良い。【００１８】  図６の本体（３）軸柄はＧ上部Ｆ面に（１３）の長穴を設ける、この穴はＥ面まで貫通しておく。ここは（４３）のカシメ軸を通して、（４３）のスプリングを受けるためと、スプリングを上下に動かす機能を兼用するためである、巾約４ミリ、長さは約３センチぐらい。さらに本体軸柄（３）の下部Ａ面側のみ１部長穴を開けておく、ここは４ミリ巾、長さ４センチぐらい開ける。ここは（３１）のリベットの頭が当たらない様に開けたバカ穴である。【００１９】  （４）操作パイプＧ上部に（４６）指掛爪が付いている（２）の部品を設けるための軸受孔（２０）をＦ面からＥ面まで貫通しておく。【００２０】  （４）操作パイプの下部ＨのＡ面側に（４４）の連結棒を固定するための（２１）のリベットピン挿入孔を設ける。【００２１】  本発明を組立るには、まず、（４）の操作パイプの中に（３）の軸柄を通し（４）の操作パイプのＧ面側に（２）の指掛爪付部品をかぶせて（３２）のカシメ軸を（４）の操作パイプの（２０）の軸受孔へ通し固定する。次に（４）の操作パイプの下部Ｈ側から（４４）の連結棒を付設した（５）のはかま部品をかぶせ、（２１）の軸受孔より（３１）のリベットピンを挿通しこれを固定する。【００２２】  （８）ヘラの取り付は（３）本体軸柄のＨ側から差し込み（３４）の軸受孔より（３６）の軸棒を通し（３）の本体軸柄を貫通し（８）のヘラが回動できるように吊設する。（４９）の支持板にある（３３）と（４４）の連結棒の先端にある（３０）の軸受孔に（３７）の軸棒を挿通し（４）の操作パイプと（８）のヘラとを連結し、（３）本体軸柄パイプの上部に（４３）ラセンスプリングを内設しパイプの先端には（１）の握り柄を設ける。これを使用するには、（１）の握柄を手で掴み本発明の道具を履物の中に差し込み（４６）の指掛爪を引き上げれば（４）の操作パイプが上に持ち上り、したがって（８）のヘラが連動しヘラが横向になりこれで履物を吊り上げ向きを変え目的の場所迄移動できる、履物の向きを変える道具。
【産業上の利用可能性】
【００２３】  一般家庭及び事業所の玄関などで活用出来る。
【図面の簡単な説明】
【００２４】
【図１】は本発明の履物の向きを変える道具の全体図でＦ面から見た断面図
【図２】は本発明の履物の向きを変える道具の使い勝手を示した側面図
【図３】は（１）握柄でＧ面から見た平面図
【図４】は（１）の握柄でＨ面から見た平面図
【図５】は（１）の握柄でＦ面から見た断面図
【図６】は（３）本体軸パイプでＦ面からみた側面図
【図７】は（４）操作パイプでＦ面から見た側面図
【図８】は（４）の操作パイプの上部に設ける指掛爪付部品Ｆ面側から見た斜視図
【図９】は（３１）リベットピン（４３）ラセンスプリングの側面図
【図１０】の（４４）は連結棒でこの連結棒を付設した状たいを見た断面図
【図１１】はカシメ軸で側面図
【図１２】は軸棒で側面図
【図１３】は履物を吊り上げるためのヘラで斜視図
【図１４】は本体軸と操作パイプに連結棒付のはかまとヘラの関係図
【符号の説明】
【００２５】１  握柄
２  指掛爪を設けた部品
３  本体軸パイプ
４  操作用パイプ
５  アームを付設した（はかま）
６  リベットピンを挿入するための孔
７  全長約４センチ
８  履物を吊り上げるためのヘラである
９  はネジ山付の穴
１０  は巾寸で約２５ミリ
１１  は長さで約１０センチ
１２  は厚さで約２０ミリ
１３  は長穴でここはＦ面、Ｅ面側に設けた長穴である、大きさは巾約４ミリ長さ３センチぐらい
１４  はＡ面のみに設けた長穴で約巾４ミリ長さ４センチ、ここは（３１）のリベット釘の頭が当らない様にするためのバカ穴である
１５  は軸受孔
１６  は外径１６ミリ
１７  は内寸１３ミリ
１８  は長さ７７５ミリ
１９  長さ７１０ミリ
２０  は軸受孔で約４ミリ
２１  はリベット挿入孔で約３，５ミリ
２２  は直径２０ミリ
２３  は内寸１６，５ミリ
２４  は内寸１６，５ミリ
２５  は軸受孔
２６  は内寸２０ミリ
２７  は直径１３ミリ
２８  は軸パイプとヘラの角度で約１０度ぐらい
２９  はねじ山
３０  は軸受孔
３１  はリベットピン
３２  はカシメ軸（バネストッパー）を兼ねる
３３  は軸受孔
３４  は軸受孔
３５  ここは上向に曲げてこの先端に二股を設けて、草履、下駄などに対応する。
３６  は軸棒（４ミリ）
３７  軸棒（３ミリ）
３８  は６センチ
３９  ２０ミリ
４０  曲り角度３５度
４１  先端の巾３０ミリ
４２  は７０ミリ、３２カシメ軸より３軸柄の上部迄の寸法より少し長目にする
４３  ラセンスプリング
４４  アーム
４５  は角度で約１０度ぐらい
４６  は指掛爪
４７  は３センチ
４８  は９センチ
４９  は支持板
Ａ，Ｂ，Ｅ，Ｆ，Ｇ，Ｈ，は展開方向を示す符号
（イ）（ロ）（ハ）（ニ）の記号は使い勝手の順序を示す符号
【手続補正３】
【補正対象書類名】図面
【補正対象項目名】全図
【補正方法】変更
【補正の内容】
【図１】
2007105445.tif 000016
【図２】
2007105445.tif 000017
【図３】
2007105445.tif 000018
【図４】
2007105445.tif 000019
【図５】
2007105445.tif 000020
【図６】
2007105445.tif 000021
【図７】
2007105445.tif 000022
【図８】
2007105445.tif 000023
【図９】
2007105445.tif 000024
【図１０】
2007105445.tif 000025
【図１１】
2007105445.tif 000026
【図１２】
2007105445.tif 000027
【図１３】
2007105445.tif 000028
【図１４】
2007105445.tif 000029
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
軸パイプ（３）の上端に握手（１）を取り付、軸パイプ（３）の外側に操作パイプ（４）を指掛爪の操作により上下移動可能に取り付け、前記軸パイプ（３）の下端にヘラ（８）を上下回動可能に軸（３６）で取り付、前記操作用パイプ（４）の下端にヘラ操作用アーム（４４）を取り付け、前記アーム（４４）はヘラ（８）に軸（３７）で取り付、前記握手（１）と操作用パイプ（４）の間に同パイプを常時下方へ付勢するスプリングを介装してなる履物の向きを変える道具。
【手続補正２】
【補正対象書類名】明細書
【補正対象項目名】全文
【補正方法】変更
【補正の内容】
【発明の詳細な説明】
【技術分野】
【０００１】  本発明は、家庭の玄関及び事業所の玄関で使用するもの。
【背景技術】
【０００２】  今迄履物を整理するための道具はなかった。
【発明の開示】
【発明が解決しょうとする課題】
【０００３】  従来玄関内の床には外から入ってきた人が履物を室内方向に向けたまま置いてあるのが普通で、さらに人の出入が多い所では、バラバラになっていて、これを整理するのにはしゃがみこみ、はいつくばる様に行う事になり容易なことではない。
【０００４】  これらを容易に出来れば、いつも玄関内は整理整頓ができていて、来客の人から見て良い好感を得ることが出来る。
【０００５】  草履や下駄、サンダルにも対応出きる様にヘラの先を（３５）二股にしてさらにここの部分を上向きに曲げておく。
【０００６】  誰でも簡単に履物の向を変られる様にする。
【０００７】  用具の収納場所は既存の傘立に一緒に立て掛られる様にする。
【課題が解決する手段】
【０００８】  素材についてはプラスチックでも金属製でも可能である。
【０００９】  杖の様な長い柄の先端に履物を吊り上げるための（８）ヘラを設けて、このヘラを自由自在に垂直にしたり横向に出来る様する、これによつて履物の整理整頓が容易に出来る。
【００１０】  履物を確実に吊り上げるために、側面から見てちょうど釣針の様になっている、これを履物の中に差し込むと、奥の爪先に近い天井に当るので、これで上に引きあげれば履物は斜状になり、目的の場所まで移動が出来る。
【００１１】  使い方は、まず用具の先端部の（８）ヘラ部分を履物の中に差し込み（４７）指掛爪を引き上げると、（８）ヘラは横向きになるのでこのまま上に引き上げれば履物は斜状になり落すことなく目的の場所まで移動が出来る。
【００１２】  玄間がいつも整理されていて気持が良い。
【００１３】  手で整理をした状態を見ると向きは直っていても全体としてバラバラである。これは目と履物とが近いので全体のバランスが良く見えてないからである。本発明の道具を使うと、柄が長いので高い位置から見下すので、全体が良く見え少しの曲もわかり整頓がしやすい。
【発明を実施するための最良の形態】
【００１４】  以下本発明の実施形態を図面に基づき試作した時の寸法を入れ乍ら詳細に設明する【００１５】  図１は本発明の履物の向きを変える道具の側面透視図、道具の使い方の順序を図解した側面図で、（イ）（ロ）（ハ）（ニ）の順で使用する。【００１６】  （イ）は用具を履物の中に差しこむ、（ロ）指掛爪を指で引きあげる、（８）ヘラが履物のなかで横になり、履物の奥爪先に近い天井に当るのでこのまま上に持上げれば履物は斜状になり、移動が出来る。（ハ）はここで履物を下に置く、（ニ）最後に指掛爪からゆびを離せばヘラは簡単に抜きだせる。
【実施例】
【００１７】本発明を製作するには、別紙図面を参照し乍ら行うと良い。【００１８】  図６の本体（３）軸柄はＧ上部Ｆ面に（１３）の長穴を設ける、この穴はＥ面まで貫通しておく。ここは（４３）のカシメ軸を通して、（４３）のスプリングを受けるためと、スプリングを上下に動かすことを兼用するためである。巾約４ミリ、長さは約３センチぐらい、さらに本体軸柄（３）の下部Ａ面側のみ１部長穴を開けておく、ここは４ミリ巾、長さ４センチ開ける、ここは（３１）のリベット釘の頭が当らない様にしたバカ穴である。【００１９】  （４）操作パイプＧ上部のＦ面側に（２）の指掛爪の付いた部品を設けるための軸受孔（２０）を裏側Ｅ面まで貫通しておく。【００２０】  （４）操作パイプの下部ＨのＡ面側に（４４）のアームを固定するための（２１）のリベット釘の捜入孔を設ける。【００２１】  本発明を組立るには、まず、（４）の操作パイプの中に（３）の軸柄を通し（４）の操作パイプのＧ面側に（２）の指掛爪付部品をかぶせて（３２）のカシメ軸を（４）の操作パイプの（２０）の軸受孔へ通し固定する。次に（４）の操作パイプの下部Ｈ側から（４４）アーム付（５）はかまを下からかぶせる様に入れ込み（２１）の挿入孔より（３１）のリベット釘を挿入し固定する。【００２２】  （８）ヘラの取り付は（３）本体軸柄のＨ側から差し込み（３４）の軸受孔より（３６）の軸棒を通し（３）の本体軸柄を貫通し（８）のヘラが回動できるように固定する。さらに（３３）と（４４）の腕にある（３０）の軸受孔に（３７）の軸棒を差し込み回動できる様に固定する。（４３）のラセンスプリングを（３）本体軸柄パイプのＧ面側の中に挿入する。  最後に（１）握手の（９）ネジ山付の穴の中に接着剤を塗り付て、（３）の本体軸柄の（４６）の部分をネジ込み完成する履物の向きを変える道具。
【産業上の利用可能性】
【００２３】一般家庭の玄関及び事業所で活用できる。
【図面の簡単な説明】
【００２４】
【図１】は本発明の履物の向きを変える道具の全体図でＦ面から見た断面図
【図２】は本発明の履物の向きを変える道具の使い勝手を示した側面図
【図３】は（１）握柄でＧ面から見た平面図
【図４】は（１）の握柄でＨ面から見た平面図
【図５】は（１）の握柄でＦ面から見た断面図
【図６】は（３）本体軸パイプでＦ面からみた側面図
【図７】は（４）操作パイプでＦ面から見た側面図
【図８】は（４）の操作パイプの上部に設ける指掛爪付部品Ｆ面側から見た斜視図
【図９】は（３１）リベットピン（４３）ラセンスプリングの側面図
【図１０】の（４４）はアームでこのアームを付設した状たいを見た斜視図
【図１１】はカシメ軸で側面図
【図１２】は軸棒で側面図
【図１３】は履物を吊り上げるためのヘラで斜視図
【図１４】は本体軸と操作パイプに連結棒付のはかまとヘラの関係図
【符号の説明】
【００２５】１  握柄
２  指掛爪を設けた部品
３  本体軸パイプ
４  操作用パイプ
５  アームを付設した（はかま）
６  リベットピンを挿入するための孔
７  全長約４センチ
８  履物を吊り上げるためのヘラである
９  はネジ山付の穴
１０  は巾寸で約２５ミリ
１１  は長さで約１０センチ
１２  は厚さで約２０ミリ
１３  は長穴でここはＦ面、Ｅ面側に設けた長穴である、大きさは巾約４ミリ長さ３センチぐらい
１４  はＡ面のみに設けた長穴で約巾４ミリ長さ４センチ、ここは（３１）のリベット釘の頭が当らない様にするためのバカ穴である
１５  は軸受孔
１６  は外径１６ミリ
１７  は内寸１３ミリ
１８  は長さ７７５ミリ
１９  長さ７１０ミリ
２０  は軸受孔で約４ミリ
２１  はリベット挿入孔で約３，５ミリ
２２  は直径２０ミリ
２３  は内寸１６，５ミリ
２４  は内寸１６，５ミリ
２５  は軸受孔
２６  は内寸２０ミリ
２７  は直径１３ミリ
２９  はねじ山
３０  は軸受孔
３１  はリベットピン
３２  はカシメ軸（バネストッパー）を兼ねる
３３  は軸受孔
３４  は軸受孔
３５  ここは上向に曲げてこの先端に二股を設けて、草履、下駄などに対応する。
３６  は軸棒（４ミリ）
３７  軸棒（３ミリ）
３８  は６センチ
３９  ２０ミリ
４０  曲り角度３５度
４１  先端の巾３０ミリ
４２  は７０ミリ
４３  ラセンスプリング
４４  アーム
４５  は角度で約１０度ぐらい
４６  は指掛爪
４７  は３センチ
４８  は９センチ
４９  は支持板
Ａ，Ｂ，Ｅ，Ｆ，Ｇ，Ｈ，は展開方向を示す符号
（イ）（ロ）（ハ）（二）の記号は使い勝手の順序を示す符号
【手続補正３】
【補正対象書類名】図面
【補正対象項目名】全図
【補正方法】変更
【補正の内容】
【図１】
2007105445.tif 000030
【図２】
2007105445.tif 000031
【図３】
2007105445.tif 000032
【図４】
2007105445.tif 000033
【図５】
2007105445.tif 000034
【図６】
2007105445.tif 000035
【図７】
2007105445.tif 000036
【図８】
2007105445.tif 000037
【図９】
2007105445.tif 000038
【図１０】
2007105445.tif 000039
【図１１】
2007105445.tif 000040
【図１２】
2007105445.tif 000041
【図１３】
2007105445.tif 000042
【図１４】
2007105445.tif 000043